(57)【要約】【課題】ＤＰ袋と現像済み写真フィルムの照合を簡単に行うことができる画像形成システムを提供すること、また、写真プリント等が納品される正確な時間を顧客に知らせることができる引き渡しシステムを提供すること。【解決手段】ＤＰ袋１２および写真フィルムＦの少なくとも一方に付着したＩＣタグに、注文情報をタグ情報として記録させる書き込み手段１３と、前記ＩＣタグに記録されたタグ情報を読み取るＩＣタグリーダ２９と、そのＩＣタグリーダ２９により読み取られたタグ情報を解析するタグ情報解析手段３０と、タグ情報解析手段３０により解析されたタグ情報に含まれる注文情報を表示するモニター２４と、を画像形成システムに備えた。【選択図】図１
2006065075.tif 000002
【特許請求の範囲】
【請求項１】
ＤＰ袋および写真フィルムの少なくとも一方に付着したＩＣタグに、注文情報をタグ情報として記録させる書き込み手段と、
前記ＩＣタグに記録されたタグ情報を読み取る第１読み取り手段と、
その第１読み取り手段により読み取られたタグ情報を解析する第１解析手段と、
前記第１解析手段により解析されたタグ情報に含まれる注文情報を表示する表示手段と、を備える画像形成システム。
【請求項２】
前記第１解析手段による解析の結果に基づいて、画像形成に係る設定を、前記タグ情報に含まれる注文情報に対応するように変更する設定変更手段を備える請求項１記載の画像形成システム。
【請求項３】
前記書き込み手段は、注文に係る価格情報を、前記ＩＣタグにタグ情報として記録させる請求項１または２に記載の画像形成システム。
【請求項４】
前記第１読み取り手段が、ＤＰ袋と写真フィルムの両者に付着したＩＣタグのタグ情報をそれぞれ読み取った場合に、それらのタグ情報に含まれる注文情報が一致するか否かを判定する判定手段を備える請求項１〜３のいずれか１項に記載の画像形成システム。
【請求項５】
請求項１〜４のいずれか１項に記載の画像形成システムと、
顧客に引き渡されるまでの仕上がりの画像形成媒体が一時保管される保管容器と、
前記保管容器に保管されたＤＰ袋またはそのＤＰ袋に収納された写真フィルムに付着したＩＣタグに記録されたタグ情報を読み取る第２読み取り手段と、
その第２読み取り手段により読み取られたタグ情報を解析する第２解析手段と、
前記第２解析手段により解析されたタグ情報に含まれる注文情報に基づいて、注文した顧客への通知を行う通知手段と、を備える引き渡しシステム。
【請求項６】
前記通知手段は、前記顧客への通知に代えて又は加えて、前記保管容器から前記ＤＰ袋が取り出された場合に、所定の通知先への通知を行う請求項５記載の引き渡しシステム。
【発明の詳細な説明】
【技術分野】
【０００１】
本発明は、ＤＰ袋と現像済み写真フィルムの照合方法を改善した画像形成システムに関するものである。また、その画像形成システムを用いて作成した写真プリント等の画像形成媒体を、顧客に引き渡すための引き渡しシステムに関するものである。
【背景技術】
【０００２】
通常、ラボ店では、顧客から同時プリントや焼き増しプリント等の注文を受けた場合、顧客から預かった写真フィルムを専用の納品袋に入れ、プリント処理を開始するまで保管しておく。この納品袋は、一般にＤＰ袋と呼ばれる。ＤＰ袋の外表面には、注文受付時に、顧客の名前や連絡先、同時プリントか否か、プリントサイズ、プリント枚数などの注文情報が記入される。なお、顧客から預かる写真フィルムは、同時プリント注文の場合は未現像写真フィルムとなり、焼き増しプリント注文の場合は現像済み写真フィルムとなる。
【０００３】
プリント処理（画像形成処理の一例）を開始する際、オペレータは、ＤＰ袋から写真フィルムを取り出し、必要に応じた画像処理を施して写真プリントを作成する。なお、同時プリントの注文であれば、プリント処理の前に、顧客から預かった未現像写真フィルムに現像処理を施す。写真プリント作成の際、オペレータは、ＤＰ袋に記入されている注文情報に基づいて、所定のサイズ・枚数の写真プリントを作成する。仕上がりの写真プリントは、注文受付時に写真フィルムを保管しておいたのと同じＤＰ袋に収納され、現像済み写真フィルムと共に顧客に引き渡される。
【０００４】
上述のように、仕上がりの写真プリントを収納するＤＰ袋は前もって決められているため、仕上がりの写真プリントとＤＰ袋との照合作業が必要となる。そのため、まず、写真プリントの画像と現像済み写真フィルムの画像を照合し、更に、その現像済み写真フィルムとＤＰ袋を照合する必要があった。従来、現像済み写真フィルムとＤＰ袋との照合は、注文受付時に両者に貼り付けたチェックラベルと呼ばれる識別番号付きのラベルに基づいて行っていた（例えば、下記特許文献１参照）。
【０００５】
しかしながら、多数の注文を受け付けるラボ店では、預かる写真フィルムやそれらを収納するＤＰ袋の数が多くなり、注文受付時にチェックラベルを貼付する作業や、プリント処理後に現像済み写真フィルムとＤＰ袋を照合する作業は、非常に煩雑な作業となっていた。また、プリント処理時には、プリントサイズやプリント枚数などを確認するために、注文情報が記入されたＤＰ袋を探す必要があり、オペレータの手間となっていた。上記のような照合作業が多くなる結果、照合間違いが生じる場合もあり問題となっていた。
【０００６】
一方、写真フィルムの受け渡しを間接的に行うことにより、同時プリント等の注文を無人で受け付けることができるシステムが知られている。かかるシステムでは、街上などに設置された専用のボックスに、顧客が写真フィルムを預け入れておくと、ラボ店がそれを回収し、必要に応じた処理を施して写真プリントを作成する。仕上がりの写真プリントは、現像済み写真フィルムと共にそのボックスに納品される。顧客は、注文より所定の日時が経過してからボックスを訪れることで、仕上がりの写真プリントを受け取ることができる。
【０００７】
しかしながら、かかるシステムにて写真プリントの作成を注文した顧客は、写真プリントが納品される大まかな時間帯は分かるものの、正確な時間を知ることができなかった。これに対し、ラボ店が納品時に顧客に逐一連絡してもよいが、作業が煩雑となるため、好ましい方法ではなかった。一方、ラボ店は、顧客が写真プリントを受け取ったことを、ボックスを訪れて直接確認する必要があったため、大きな手間になっていた。
【特許文献１】特開２００２−３４１４６４号公報
【発明の開示】
【発明が解決しようとする課題】
【０００８】
本発明は上記実情に鑑みてなされたものであり、その課題は、ＤＰ袋と現像済み写真フィルムの照合を簡単に行うことができる画像形成システムを提供することである。また、本発明の別の課題は、写真プリント等が納品される正確な時間を顧客に知らせることができる引き渡しシステムを提供することである。
【課題を解決するための手段】
【０００９】
上記課題は、下記の如き本発明により解決することができる。即ち、本発明の画像形成システムは、ＤＰ袋および写真フィルムの少なくとも一方に付着したＩＣタグに、注文情報をタグ情報として記録させる書き込み手段と、前記ＩＣタグに記録されたタグ情報を読み取る第１読み取り手段と、その第１読み取り手段により読み取られたタグ情報を解析する第１解析手段と、前記第１解析手段により解析されたタグ情報に含まれる注文情報を表示する表示手段とを備える。
【００１０】
本発明の画像形成システムの作用・効果を説明する。このシステムでは、情報を記録するためにＩＣタグを使用する。ＩＣタグは、微小サイズのＩＣチップを搭載しており、ＩＣチップと共に搭載したアンテナを通じて情報の読み書きを行うことができる。本発明の画像形成システムは、ＤＰ袋および写真フィルムの少なくとも一方に付着したＩＣタグに、注文情報を記録させる書き込み手段を備える。ＩＣタグを付着させるための方法は、接着剤や粘着剤を用いる方法、テープを用いる方法などがあるが、特定の付着方法に限定されるものではない。そして、本発明の構成によれば、ＩＣタグに記録されたタグ情報を読み取って解析し、そのタグ情報に含まれる注文情報を表示させることができる。これにより、ＤＰ袋と現像済み写真フィルムの照合を簡単に行うことができ、例えば、チェックラベルの貼付を省略して、注文受付作業を簡略化することができる。また、注文情報が記録されたＩＣタグが写真フィルムに付着している場合、プリント処理を行うオペレータは、ＤＰ袋を見なくても、写真フィルムのＩＣタグに記録されたタグ情報を読み取ることにより、プリントサイズやプリント枚数などの注文情報を確認することができ、処理の効率化を図ることができる。
【００１１】
上記において、前記第１解析手段による解析の結果に基づいて、画像形成に係る設定を、前記タグ情報に含まれる注文情報に対応するように変更する設定変更手段を備えるものが好ましい。
【００１２】
従来、処理を行うオペレータは、ＤＰ袋に記入されている注文情報を確認して、それに対応するように画像形成に係る設定を変更していたが、上記構成によれば、ＤＰ袋または写真フィルムに付着したＩＣタグのタグ情報を読みとることによって、画像形成に係る設定を変更することができる。ここで、画像形成に係る設定としては、プリント枚数やプリント種別、プリントチャンネルなどが例示される。
【００１３】
上記において、前記書き込み手段は、注文に係る価格情報を、前記ＩＣタグにタグ情報として記録させるものが好ましい。
【００１４】
上記構成によれば、価格を集計する際に、ＤＰ袋または写真フィルムに付着したＩＣタグのタグ情報を読み取ることにより、その注文に係る価格情報を取得できるため、価格集計作業を簡易にすることができる。
【００１５】
上記において、前記第１読み取り手段が、ＤＰ袋と写真フィルムの両者に付着したＩＣタグのタグ情報をそれぞれ読み取った場合に、それらのタグ情報に含まれる注文情報が一致するか否かを判定する判定手段を備えるものが好ましい。
【００１６】
上記構成によれば、写真フィルムとＤＰ袋の両者に付着したＩＣタグのタグ情報をそれぞれ読み取ることにより、注文情報が一致するか否かを判定することができるため、ＤＰ袋と現像済み写真フィルムの照合を容易かつ正確に行って、照合間違いの発生を防止することができる。
【００１７】
また、本発明の引き渡しシステムは、上記いずれかに記載の画像形成システムと、顧客に引き渡されるまでの仕上がりの画像形成媒体が一時保管される保管容器と、前記保管容器に保管されたＤＰ袋またはそのＤＰ袋に収納された写真フィルムに付着したＩＣタグに記録されたタグ情報を読み取る第２読み取り手段と、その第２読み取り手段により読み取られたタグ情報を解析する第２解析手段と、前記第２解析手段により解析されたタグ情報に含まれる注文情報に基づいて、注文した顧客へ通知を行う通知手段と、を備える。
【００１８】
本発明の引き渡しシステムの作用・効果を説明する。このシステムは、本発明に係る画像形成システムと、顧客に引き渡されるまでの仕上がりの写真プリント（画像形成媒体の一例）が一時保管される保管容器とを備える。保管容器は、駅の構内や街上などに設置される。同時プリントや焼き増しプリント等を注文したい顧客は、未現像写真フィルムまたは現像済み写真フィルムを保管容器に預け入れる。ラボ店は、保管容器に預け入れられたその写真フィルムを回収し、画像形成システムにて写真プリントを作成する。仕上がりの写真プリントは、現像済み写真フィルムと共にＤＰ袋に収納された状態で前記保管容器に納品され、顧客に引き渡されるまで一時保管される。顧客は、注文より所定の日時が経過してから保管容器を訪れることで、仕上がりの写真プリントを受け取ることができる。
【００１９】
また、本発明の引き渡しシステムによれば、上述の画像形成システムが備える書き込み手段によって、ＤＰ袋または写真フィルムに付着したＩＣタグに注文情報を記録させることができる。そして、顧客に引き渡される仕上がりの写真プリントは、その現像済み写真フィルムと共にそのＤＰ袋に収納され、保管容器に一時保管される。保管容器内のＤＰ袋または現像済み写真フィルムに付着したＩＣタグに記録されたタグ情報は、第２読み取り手段により読み取ることができる。読み取られたタグ情報は、第２解析手段により解析され、そのタグ情報に含まれる注文情報に基づいて顧客への通知が行われる。これにより、顧客は、仕上がりの写真プリントが納品された正確な時間を知ることができ、通知後に保管容器を訪れることで、仕上がりの写真プリントを確実に受け取ることができる。
【００２０】
前記通知手段は、前記顧客への通知に代えて又は加えて、前記保管容器から前記ＤＰ袋が取り出された場合に、所定の通知先への通知を行う請求項５記載の引き渡しシステム。
【００２１】
上記構成によれば、納品した仕上がりの写真プリントが保管容器から取り出されたときにラボ店への通知を行うことができるため、ラボ店は、顧客が仕上がりの写真プリントを受け取ったことを適時に確認することができる。
【発明を実施するための最良の形態】
【００２２】
＜画像形成システムの構成＞
本発明に係る画像形成システムの好適な実施形態を、図面を用いて説明する。図１は、本発明の画像形成システムの構成の一例を示す概念図である。当該システムは、例えばラボ店に設置される。ラボ店では、同時プリントや焼き増しプリント等を注文したい顧客から、未現像写真フィルムまたは現像済み写真フィルムを預かり、当該システムの機能に基づいて、写真プリントを作成したり、ＣＤ−Ｒ等の記録媒体に画像を記録したりする。
【００２３】
例えば、焼き増しプリントを注文したい顧客から、現像済み写真フィルムＦ（以下、単に写真フィルムＦと呼ぶ場合がある。）を預かった場合、その写真フィルムＦはＤＰ袋１２に収納され、処理を開始するまで保管される。本発明の画像形成システムは、タグ付着手段４を備えており、ＤＰ袋１２および写真フィルムＦの少なくとも一方に、ＩＣタグを付着させることができる。なお、同時プリントの注文を受け付けた場合であれば、預けられた未現像写真フィルムに現像処理を施す必要があるが、かかる場合、ＩＣタグの貼り付けは、現像処理前でも現像処理後でもよい。
【００２４】
図２は、タグ付着手段４によりＩＣタグＴをＤＰ袋１２に貼り付けるときの様子を示す図である。ＩＣタグは、近年において種々の産業分野で利用されている。ＩＣタグは、大きさが１ｍｍ角以下のＩＣチップを備えており、無線電波でデータの書き込み・読み出しを行うことができる。バッテリを搭載しないタイプであれば、小型化することができ、ＤＰ袋に貼り付けるには問題のないサイズである。
【００２５】
タグ付着手段４は、ＤＰ袋１２の裏面または表面の適宜の箇所にＩＣタグＴを貼り付ける機能を有し、図２に示すように、細長いテープ状のベースフィルム４０ａに所定間隔でＩＣタグＴが取り付けられている。テープの表面には、粘着材や接着剤が予め塗布されている。ＩＣタグＴの周囲には、切り込み線４０ｂが導入されている。従って、ベースフィルム４０ａをＤＰ袋１２に押し付けることで、ＩＣタグＴを切り込み線４０ｂの内側のエリアと共に、ＤＰ袋１２に貼り付けることができる。ベースフィルム４０ａは、不図示の駆動機構により定尺送りがなされる。使用済みのベースフィルム４０ａは、巻き取りローラに巻き取られる。なお、写真フィルムＦにＩＣタグＴを付着させる場合も、同じ要領で行うことができる。ＩＣタグＴを貼り付ける方法（タグを付着させるための形態）やＩＣタグの貼り付け位置は、本実施形態に限定されるものではなく、種々の変形例が考えられる。
【００２６】
ＩＣタグＴが貼り付けられると、書き込み手段１３により注文情報がタグ情報として書き込まれる。注文情報としては、顧客の名前や連絡先、同時プリントか否か、プリントサイズやプリント枚数、インデックスプリント作成の有無、メディア保存か否か、画像のコマ番号等が挙げられる。このような注文情報は、不図示の受付端末から書き込み手段１３へと送られる。なお、タグ情報の書き込みは、ＩＣタグをＤＰ袋１２または写真フィルムＦに貼り付ける前に行っても構わない。
【００２７】
ＩＣタグに書き込まれる情報には、その注文に係る価格情報が含まれることが好ましい。これにより、価格集計の際、例えばレジにてＤＰ袋１２または写真フィルムＦに付着したＩＣタグのタグ情報を読み取ることで、価格集計作業を容易に行うことができる。
【００２８】
ＩＣタグリーダ２９（前記第１読み取り手段に相当する。）は、ＩＣタグに記録されたタグ情報を読み取る機能を有する。タグ情報解析手段３０（前記第１解析手段に相当する。）は、ＩＣタグリーダ２９により読み取ったタグ情報の内容を解析する機能を有する。タグ情報解析手段３０に解析されたタグ情報に含まれる注文情報は、モニター２４（前記表示手段に相当する。）に表示され、処理を行うオペレータはその内容を視認することができる。
【００２９】
判定手段１４は、ＤＰ袋１２と写真フィルムＦの両者に付着したＩＣタグのタグ情報を、ＩＣタグリーダ２９によりそれぞれ読み取った場合に、それらのタグ情報に含まれる注文情報が一致するか否かを判定する機能を有する。判定の結果は、モニター２４に表示される。これにより、画像形成処理後において、ＤＰ袋１２と写真フィルムＦの照合を容易かつ正確に行うことができ、照合間違いの発生を防止することができる。従って、照合処理を簡易にするため、ＤＰ袋１２と写真フィルムＦの両者のＩＣタグに注文情報を記録させることが好ましい。なお、判定手段１４による判定は、タグ情報に含まれる全ての注文情報を対象とするものに限られず、例えば、各注文情報に含まれるオーダー番号を照合することにより、それらの注文情報が一致するか否かの判定を行うものでも構わない。
【００３０】
設定変更手段１５は、タグ情報解析手段３０による解析の結果に基づいて、画像形成に係る設定を、注文情報に対応するように変更する機能を有する。例えば、ＩＣタグのタグ情報を読み取ることにより、注文で指定されたプリント枚数に設定したり、プリント種別（通常の写真プリント、インデックスプリント、ＣＤ−Ｒ等のメディアへの保存）を適切に選択したりする。焼き増しプリント注文の場合は、注文情報に画像のコマ番号を含ませることで、画像形成に係るコマ画像を容易に特定することができる。ここで、設定変更手段１５により変更される設定には、プリントチャンネルの設定も含まれる。プリントチャンネルとは、写真プリント作成のために使用するペーパーの種類（面質やメーカーなど）、プリントサイズ、画像データの取得元（デジタルカメラからのデータかネガフィルムからのデータか等）等を登録したものである。したがって、特定のプリントサイズの写真プリントを作成しようとする場合は、それに適したプリントチャンネルを選択し、予め設定しておく必要がある。
【００３１】
本実施形態の画像形成システムでは、写真プリントを作成するためのオリジナル画像データを取得するために、メディア画像入力部２０とフィルムスキャナー２１とが設けられている。メディア画像入力部２０は、デジタルカメラの記憶媒体やＣＤ−Ｒ、ＭＯディスク等の種々の記録媒体（メディア）から画像データを入力する機能を有する。フィルムスキャナー２１は、現像済み写真フィルムＦに形成されているコマ画像を読み取り、デジタルデータ化する機能を有する。
【００３２】
画像データ記憶部２２は、入力された画像データを記憶する。入力された画像データは、画像処理部２３において画像処理が施された後、データ転送部２８を介して後述する画像露光装置５へと転送される。画像処理部２３における画像処理の代表的なものとしては、色・濃度の補正が挙げられる。オペレータは、モニター２４にプリント処理すべき画像を表示させ、色・濃度の判定を行い、色・濃度が適切にプリントされないと判定した場合は、補正データ入力部２５を介して色・濃度の補正データを入力することができる。
【００３３】
また、表示されている画像にトリミングを行う場合には、そのトリミング情報を設定する。トリミング情報は、トリミング枠の大きさと枠位置の座標などから構成される。その他、赤目補正、階調補正、逆光補正などの特殊補正、画像反転（左右・上下）も行うことができる。更に、ペーパーフィッティングを行うことができる。これは入力された画像データのアスペクト比と、写真プリントのアスペクト比が異なる場合に、この違いを調整するものである。
【００３４】
ペーパーマガジン１には、写真感光材料であるペーパーがロールＲの形態で収容されている。ペーパーマガジン１は、複数台を着脱自在に取り付けることができ、幅寸法の異なるペーパーをセットしておくことができる。ペーパーは、いずれか一方のペーパーマガジン１から引き出される。アドバンスローラ２は、ペーパーマガジン１から引き出された長尺状のペーパーを搬送経路に沿って下流側へ送り出す。ペーパーカッター３は、長尺状のペーパーを所定のプリントサイズにカットする。搬送経路には、ペーパーを搬送させるための多数のローラ等から構成される搬送装置が設けられている。
【００３５】
画像露光装置５は、ペーパーの乳剤面に画像を焼付露光するための装置である。画像データを受け取ると、これに基づいて走査露光を行うことで画像を露光形成する。露光エンジン６は、画像データを光変調する装置であり、レーザーエンジン、ＰＬＺＴエンジン等が用いられる。搬送ローラ７ａ、７ｂは、走査露光を行うためにペーパーを一定速度で搬送させる。画像が焼付露光されたペーパーは、搬送ローラ群８により現像処理部９へと送り込まれる。現像処理されたペーパーは、乾燥処理部１０で乾燥された後、ペーパー排出部１１から仕上がりの写真プリントとして排出される。
【００３６】
仕上がりの写真プリントは、現像済み写真フィルムＦの画像と照合され、更に、その現像済み写真フィルムＦはＤＰ袋１２と照合される。本発明の画像形成システムによれば、現像済み写真フィルムＦとＤＰ袋１２との照合を、上述のように容易かつ正確に行うことができる。
【００３７】
＜画像形成システムに関する処理手順＞
次に、画像形成システムに関する処理手順を、図３に示すフローチャートを用いて説明する。まず、顧客から写真フィルムを預かり（＃１）、その写真フィルムにＩＣタグを貼り付ける（＃２）。ＩＣタグは、写真フィルムか、その写真フィルムを収納するＤＰ袋の、少なくとも一方に貼り付ける。この貼り付けと同時あるいは前後して、ＩＣタグに注文情報をタグ情報として書き込む（＃３）。その写真フィルムをＤＰ袋に収納し、処理を開始するまで保管する（＃４）。なお、同時プリントの注文を受け付けた場合は、未現像写真フィルムに現像処理を施しておく。
【００３８】
処理を開始する際は、ＤＰ袋から写真フィルムを取り出し（＃５）、ＩＣタグリーダ２９により、ＤＰ袋または写真フィルムに貼り付けられたＩＣタグのタグ情報を読み取って、情報内容を解析する（＃６、７）。読み取られたタグ情報に含まれる注文情報は、モニター２４に表示され、オペレータは従来のようにＤＰ袋に依らずとも注文情報を知得することができる。また、その注文情報に基づいて、設定変更手段１５の機能により、画像形成に係る設定が変更される（＃８）。
【００３９】
次に、フィルムスキャナー２１により写真フィルムに形成されたコマ画像を読み取り（＃９）、デジタルデータ化する。オペレータは、補正データ入力部２５を介して必要に応じた補正データを入力する（＃１０）。入力された補正データに基づいて、読み取られた画像データに画像処理が施される（＃１１）。この画像処理が施された画像データは、データ転送部２８を介して露光エンジン６へと転送され、ペーパーに画像が焼付露光される（＃１２）。焼付露光されたペーパーは、現像処理および乾燥処理が施された後、装置外部に排出される（＃１３、１４）。
【００４０】
オペレータは、仕上がりの写真プリントの画像と現像済み写真フィルムの画像を照合し、更に、現像済み写真フィルムとＤＰ袋を照合する。このとき、現像済み写真フィルムとＤＰ袋の両者のＩＣタグに注文情報を記録させていれば、それらを読み取って解析することにより、それらの注文情報が一致するか否かの判定を行うことができ、照合を容易かつ正確に行うことができる（＃１５〜１７）。なお、写真フィルムとＤＰ袋のいずれかにのみＩＣタグを付着させた場合であっても、そのＩＣタグのタグ情報を読み取ることにより、注文情報を表示することができるため、従来のチェックラベルによる照合と比べて作業が簡易となる。照合された現像済み写真フィルムは、仕上がりの写真プリントと共にＤＰ袋に収納され（＃１８）、顧客に引き渡されるまで保管される。
【００４１】
＜引き渡しシステムの構成＞
次に、本発明に係る引き渡しシステムの好適な実施形態を、図面を用いて説明する。図４は、本発明に係る引き渡しシステムを概念的に示す図であり、本発明に係る画像形成システム１７と、保管ボックス１９（前記保管容器に相当する。）の集合体である受け渡しボックス１８を備えている。画像形成システム１７は、上述したものと同様であるので、説明を省略する。
【００４２】
受け渡しボックス１８は、例えば駅の構内や街上などに設置される。同時プリントや焼き増しプリント等を注文したい顧客は、写真フィルムＦ（未現像写真フィルムまたは現像済み写真フィルム）を好きな時間に保管ボックス１９内に預け入れることができる。このとき、氏名や連絡先、希望するプリントサイズやプリント枚数などに関する注文情報を指定する。注文情報の指定は、例えば、備え付けの注文書に情報を記入し、その注文書を写真フィルムＦと共に保管ボックス１９内に預け入れることにより行うことができる。
【００４３】
本実施形態の受け渡しボックス１８には、顧客からの注文を自動で受け付ける機能を有する自動注文受付手段２６が設けられている。自動注文受付手段２６は、顧客に対して、写真フィルムＦや注文書の預け入れを指示したり、料金の投入を促したりする。また、タッチパネル等の入力手段２７を介して、注文情報の入力を受け付けることもできる。更に、保管ボックス１９内に写真フィルムＦが預け入れられると、所定の預かり表を発行する。この預かり表には、注文を識別するための識別情報が記載されている。
【００４４】
図４（ａ）に示すように、ラボ店は、保管ボックス１９に預け入れられた写真フィルムＦ等を回収し、必要に応じてフィルム現像処理を施した上で、画像形成システム１７にて写真プリントを作成する。そして、仕上がりの写真プリント１６（前記画像形成媒体に相当する。）は、図４（ｂ）に示すように、現像済み写真フィルムＦと共にＤＰ袋１２に収納された状態で、写真フィルムＦが預け入れられていた保管ボックス１９に納品され、顧客に引き渡されるまで一時保管される。上述のように、このＤＰ袋１２および現像済み写真フィルムＦの少なくとも一方にはＩＣタグが付着しており、タグ情報として注文情報が記録されている。
【００４５】
図５は、保管ボックスの構成の一例を示す概念図である。各保管ボックス１９内には、ＩＣタグリーダ３１（前記第２読み取り手段に相当する。）が個別に設けられており、ＤＰ袋１２または現像済み写真フィルムＦに付着したＩＣタグに記録されたタグ情報を読み取ることができる。タグ情報解析手段３２（前記第２解析手段に相当する。）は、ＩＣタグリーダ３１により読み取ったタグ情報の内容を解析する機能を有する。
【００４６】
通知手段３３は、タグ情報に含まれる注文情報に基づいて、注文した顧客への通知を行う機能を有する。通知の方法は特に限定されず、例えば、電話によるメッセージや電子メールの送信が挙げられる。かかる場合の電話番号やメールアドレスは、顧客の連絡先として注文情報に含まれている。上記構成によれば、保管ボックス１９に仕上がりの写真プリントが納品されたことを、顧客に適時に知らせることができる。
【００４７】
また、通知手段３３は、前記顧客への通知に代えて又は加えて、保管ボックス１９からＤＰ袋１２等が取り出された場合に、所定の通知先へ通知を行う機能を有する。これにより、通知先としてラボ店を指定しておくことで、ラボ店は受け渡しボックス１８を訪れなくとも、納品した仕上がりの写真プリントが顧客に引き渡されたことを適時に知ることができる。保管ボックス１９からＤＰ袋１２等が取り出されたか否かは、ＩＣタグリーダ３１による読み取りの対象となるＩＣタグの存否により検知することができる。
【００４８】
顧客は、通知手段３３による通知を受けてから、受け渡しボックス１８を訪れることで、仕上がりの写真プリントを確実に受け取ることができる。仕上がりの写真プリントを受け取る際には、預かり表に記載された識別情報に基づいて顧客が認証され、保管ボックス１９のロックが解除される。顧客がＤＰ袋１２を取り出すと、上述のように、通知手段３３によりラボ店への通知が行われる。
【００４９】
＜引き渡しシステムに関する処理手順＞
次に、引き渡しシステムに関する処理手順を、図６に示すフローチャートを用いて説明する。但し、写真プリントの作成に関する手順は、図３に示すものと同様であるので説明を簡略する。
【００５０】
まず、顧客は、受け渡しボックス１８にて所定の操作を行い、注文に係る写真フィルムＦを保管ボックス１９内に預け入れる（＃２０）。ラボ店は、保管ボックス１９に預け入れられた写真フィルムＦを回収し（＃２１）、ＤＰ袋１２および写真フィルムＦの少なくとも一方にＩＣタグを貼り付ける（＃２２）。ＩＣタグには、顧客から指定された注文情報が書き込まれ（＃２３）、上述の手順により写真プリントが作成される（＃２４）。仕上がりの写真プリントは、現像済み写真フィルムと共にＤＰ袋に収納した状態で、保管ボックス１９内に納品される（＃２５）。
【００５１】
仕上がりの写真プリントが保管ボックス１９に納品されると、ＩＣタグリーダ３１がＤＰ袋１２または写真フィルムＦに貼り付けられたＩＣタグからタグ情報を読み取って、情報を解析する（＃２６、２７）。そして、読み取られた注文情報に基づいて、顧客への通知が行われる（＃２８）。顧客は、通知を受けて受け渡しボックスを訪れることで、写真プリントを確実に受け取ることができる。仕上がりの写真プリントが顧客に引き渡されると（＃２９）、ＩＣタグリーダ３１による読み取りの対象が無くなったことが検知されて、ラボ店への通知がなされる（＃３０）。
【００５２】
＜別実施形態＞
（１）前述の実施形態では、ＤＰ袋または写真フィルムにＩＣタグを貼り付ける例を示したが、本発明では予めＩＣタグが内蔵されたＤＰ袋または写真フィルムを用いるものでも構わない。
【００５３】
（２）前述の実施形態では、写真感光材料であるペーパーを現像処理して写真プリントを作成するシステムについて説明したが、インクジェットプリンタのような現像処理液を使用しないでプリントを作成するドライ方式のシステムの場合にも、本発明を応用することができる。また、画像形成システムにて、写真フィルム等から読み取った画像データを、ＣＤ−Ｒ等の記録媒体に記録するものでもよい。かかる記録媒体は、仕上がりの写真プリントと同様に顧客に提供される。
【図面の簡単な説明】
【００５４】
【図１】本発明に係る画像形成システムの構成の一例を示す概念図
【図２】タグ貼り付けるときの様子を示す図
【図３】本発明の画像形成システムに関する処理手順を示すフローチャート
【図４】本発明に係る引き渡しシステムの構成の一例を示す概念図
【図５】保管ボックスの構成の一例を示す概念図
【図６】本発明の引き渡しシステムに関する処理手順を示すフローチャート
【符号の説明】
【００５５】
４    タグ付着手段
１２    ＤＰ袋
１３    書き込み手段
１４    判定手段
１５    設定変更手段
１８    受け渡しボックス
１９    保管ボックス
２１    フィルムスキャナー
２２    画像データ記憶部
２３    画像処理部
２４    モニター
２５    補正データ入力部
２６    自動注文受付手段
２７    入力手段
２８    データ転送部
２９    ＩＣタグリーダ
３０    タグ情報解析手段
３１    ＩＣタグリーダ
３２    タグ情報解析手段
３３    通知手段
【図１】
2006065075.tif 000003
【図２】
2006065075.tif 000004
【図３】
2006065075.tif 000005
【図４】
2006065075.tif 000006
【図５】
2006065075.tif 000007
【図６】
2006065075.tif 000008